(57)【要約】  【課題】  ケーブルの皮剥ぎにおいて、シースと絶縁体の皮剥ぎを連続して一度に行うことのできる皮剥ぎ工具を提供する。  【解決手段】  導体と該導体を覆う絶縁体と該絶縁体を覆うシースとを有するケーブルの皮剥ぎに使用する皮剥ぎ工具であって、電動又は手動により回転する回転駆動体１と、該回転駆動体１に連結して回転する絶縁体剥ぎ取りコマ３と、該絶縁体剥ぎ取りコマ３に連結して回転するシース剥ぎ取りコマ４とを有する。  【選択図】図１
2007110874.tif 000002
【特許請求の範囲】
【請求項１】
導体と該導体を覆う絶縁体と該絶縁体を覆うシースとを有するケーブルの皮剥ぎに使用する皮剥ぎ工具であって、電動又は手動により回転する回転駆動体と、該回転駆動体に連結して回転する絶縁体剥ぎ取りコマと、該絶縁体剥ぎ取りコマに連結して回転するシース剥ぎ取りコマとを有することを特徴とする皮剥ぎ工具。
【請求項２】
絶縁体剥ぎ取りコマは、露出させる導体の長さに対応した導体寸法調節機構を有することを特徴とする請求項１に記載の皮剥ぎ工具。
【請求項３】
絶縁体剥ぎ取りコマとシース剥ぎ取りコマとの間には、露出させる絶縁体の長さに対応した絶縁体寸法調節アダプタを有することを特徴とする請求項１又は２に記載の皮剥ぎ工具。
【発明の詳細な説明】
【技術分野】
【０００１】
本発明は、主に地中に埋設するケーブル（ＣＶケーブルとも言う。）の先端部分の皮剥ぎを行う工具に関するものである。
【背景技術】
【０００２】
従来よりケーブルの皮剥ぎ用に用いられる様々の工具が知られている。
【０００３】
これらの工具は回転刃を有する筒状体の中にケーブルを挿入して所定の寸法まで皮剥ぎを行うものである（特許文献１参照）。
【特許文献１】特開平０７−１７７６３１号公報
【発明の開示】
【発明が解決しようとする課題】
【０００４】
しかしながら上記発明はシースを剥ぎ取るだけのものであり、絶縁体を剥ぎ取って導体を露出させるためには、露出させたい導体寸法分だけナイフを用いて手作業で絶縁体を削っていた。したがって、そのための作業時間を必要とし、コスト高となっていた。また、シースや絶縁体を傷つけることもあった。
【０００５】
本発明は上記点に鑑み、ケーブルの皮剥ぎにおいて、シースと絶縁体の皮剥ぎを連続して一度に行うことのできる皮剥ぎ工具を提供することを目的とする。
【課題を解決するための手段】
【０００６】
請求項１の発明は、導体と該導体を覆う絶縁体と該絶縁体を覆うシースとを有するケーブルの皮剥ぎに使用する皮剥ぎ工具であって、電動又は手動により回転する回転駆動体と、該回転駆動体に連結して回転する絶縁体剥ぎ取りコマと、該絶縁体剥ぎ取りコマに連結して回転するシース剥ぎ取りコマとを有することに特徴を有する。
【０００７】
請求項２の発明は、請求項１の発明において、絶縁体剥ぎ取りコマは、露出させる導体の長さに対応した導体寸法調節機構を有することに特徴を有する。
【０００８】
請求項３の発明は、請求項１又は２の発明において、絶縁体剥ぎ取りコマとシース剥ぎ取りコマとの間には、露出させる絶縁体の長さに対応した絶縁体寸法調節アダプタを有することに特徴を有する。
【発明の効果】
【０００９】
請求項１の発明は、導体と該導体を覆う絶縁体と該絶縁体を覆うシースとを有するケーブルの皮剥ぎに使用する皮剥ぎ工具であって、電動又は手動により回転する回転駆動体と、該回転駆動体に連結して回転する絶縁体剥ぎ取りコマと、該絶縁体剥ぎ取りコマに連結して回転するシース剥ぎ取りコマとを有することに特徴を有するので、シースと絶縁体の皮剥ぎを連続して一度に行うことができ、従来のようにシースや絶縁体を傷つけることもない。
【００１０】
請求項２の発明は、請求項１の発明において、絶縁体剥ぎ取りコマは、露出させる導体の長さに対応した導体寸法調節機構を有することに特徴を有するので、施工場所において必要とされる種々の導体寸法に対応させた皮剥ぎを行うことができる。
【００１１】
請求項３の発明は、請求項１又は２の発明において、絶縁体剥ぎ取りコマとシース剥ぎ取りコマとの間には、露出させる絶縁体の長さに対応した絶縁体寸法調節アダプタを有することに特徴を有するので、施工場所において必要とされる種々の絶縁体寸法に対応させた皮剥ぎを行うことができる。
【発明を実施するための最良の形態】
【００１２】
次に、本発明の実施形態を図面に基づいて説明する。図１は本発明に係る皮剥ぎ工具１０の全体を示す正面図であり、図２は左側面図である。これらの図に示すように皮剥ぎ工具１０の回転駆動部１は市販されている充電式の電気ドリルドライバーを用いている。この回転駆動部１の一端に導体寸法調節部２の回転軸２ａが回転可能に固定されるのであるが、この固定は回転駆動部１の固定スイッチ１ａによってなされる。また、回転駆動のオン・オフは駆動スイッチ１ｂによってなされる。導体寸法調節部２は絶縁体が剥ぎ取られることによって露出する導体の長さを調節することができる溝２ａと、この溝２ａに沿って摺動し固定される導体先端位置決めノブ２ｂが取り付けられている。
【００１３】
そして、導体寸法調節部２の一端には絶縁体剥ぎ取りコマ３が設置されている。この絶縁体剥ぎ取りコマ３は固定ピン３ａによって導体寸法調節部２に固定されるものであり、導体寸法調節部２と共に回転するものである。また、絶縁体剥ぎ取りコマ３の内部には回転して絶縁体を剥ぎ取るカッター３ｂが設置されている。
【００１４】
さらに、絶縁体剥ぎ取りコマ３の一端には、シース剥ぎ取りコマ４が設置されている。このシース剥ぎ取りコマ４は固定ピン４ａによって絶縁体剥ぎ取りコマ３に固定されるものであり、上述した導体寸法調節部２及び絶縁体剥ぎ取りコマ３と共に回転するものである。また、シース剥ぎ取りコマ４の内部には回転してシースを剥ぎ取るカッター４ｂが設置されている。さらに、シース剥ぎ取りコマ４の先端にはケーブルをスムースに挿入することができるテーパー面を有するケーブル挿入孔４ｃが設けられている。
【００１５】
図３は手動式の回転ハンドル５の場合の一部拡大正面図である。上述したように、本発明の皮剥ぎ工具は充電式の電気ドリルドライバーを回転駆動部１に使用するものであるが、これに換えて手動式の回転ハンドル５を設置してもよい。この回転ハンドル５は固定ピン５ａによって導体寸法調節部２の一端に固定されるのである。この手動式の回転ハンドル５によってケーブルの皮剥ぎを行う場合には、一方の手で皮剥ぎがされないケーブル部分を持ち、他方の手で回転ハンドルを回しながら、上述したシース剥ぎ取りコマ４のケーブル挿入孔４ｃにケーブルを押し込むことにより、所望の長さの皮剥ぎが行われ、図８に示すようにケーブル２０は、導体２０ａが露出した部分と、絶縁体２０ｂが露出した部分と、シース２０ｃとを有する状態となるのである。
【００１６】
図４は手動式の回転ノブ８の場合の一部拡大正面図である。図３で説明した手動式の回転ハンドル５に換えて手動式の回転ノブ８を設置してもよい。この回転ノブ８は円柱状の回転部８bを有するものであり、固定ピン８ａによって導体寸法調節部２の一端に固定されるのである。この手動式の回転ノブ８によってケーブルの皮剥ぎを行う場合には、一方の手で皮剥ぎがされないケーブル部分を持ち、他方の手で回転ノブ８の円柱状の回転部８bを回しながら、上述したシース剥ぎ取りコマ４のケーブル挿入孔４ｃにケーブルを押し込むことにより、所望の長さの皮剥ぎが行われるのである。この回転ノブ８にすることにより、回転ハンドル５の場合よりも皮剥ぎ時のケーブルの芯ぶれを少なくできるという利点がある。
【００１７】
図５は本発明に係る皮剥ぎ工具１０を各構成体毎に分解した場合の正面図である。この図を使用して再述すると、先端にはシース剥ぎ取りコマ４が位置し、このシース剥ぎ取りコマ４の後方に絶縁体剥ぎ取りコマ３が連結されるのである。そして、絶縁体剥ぎ取りコマ３の後方には導体寸法調節部２が連結され、この導体寸法調節部２の後方には回転駆動部１である充電式の電気ドリルドライバー又は手動式の回転ハンドル５が連結されるのである。
【００１８】
図６はシース剥ぎ取り用アダプタ６の正面図である。このシース剥ぎ取り用アダプタ７は必要に応じてシース剥ぎ取りコマ４と絶縁体剥ぎ取りコマ３の間に連結されるものである。このシース剥ぎ取り用アダプタ６は複数の寸法のものを準備することによって、露出する絶縁体の長さを適宜調節することができるのである。
【００１９】
図７はシース及び絶縁体剥ぎ取りコマ７の正面図である。このシース及び絶縁体剥ぎ取りコマ７は、上述したシース剥ぎ取りコマ４及び絶縁体剥ぎ取りコマ３を使用しない場合に用いられるものであり、固定ピン７ａによって導体寸法調節部２の一端に連結されるものである。また、シース及び絶縁体剥ぎ取りコマ７の先端にはケーブルをスムースに挿入することができるテーパー面を有するケーブル挿入孔７ｃが設けられていて、内部には回転してシース及び絶縁体を同時に剥ぎ取るカッター７ｂが設置されている。このシース及び絶縁体剥ぎ取りコマ７を使用した場合には図９に示すケーブル２１のように、シース２１ｃと絶縁体とは同じ端面で剥ぎ取られるので、図８に示したケーブルのように絶縁体２０ｂの部分が露出しているのとは異なり、導体２１ａ部分だけが露出しているのである。
【００２０】
尚、本発明の趣旨を逸脱しない範囲において、種々の実施形態をとることができることは言うまでもない。上記実施形態において、シース剥ぎ取りコマ４、絶縁体剥ぎ取りコマ３、シース剥ぎ取り用アダプタ６、シース及び絶縁体剥ぎ取りコマ７の各々を着脱可能にしたことによって、直径の異なる複数のケーブルの皮剥ぎを行う場合に、その直径に対応した各々のコマ又はアダプタを使用することによってシース又は絶縁体を傷つけることなく皮剥ぎ作業が行なわれるのである。
【図面の簡単な説明】
【００２１】
【図１】本発明に係る皮剥ぎ工具の全体を示す正面図である。
【図２】本発明に係る皮剥ぎ工具の左側面図である。
【図３】手動式の回転ハンドルの場合の一部拡大正面図である。
【図４】手動式の回転ノブの場合の一部拡大正面図である。
【図５】本発明に係る皮剥ぎ工具を各構成体毎に分解した正面図である。
【図６】シース剥ぎ取り用アダプタの正面図である。
【図７】シース及び絶縁体剥ぎ取りコマの正面図である。
【図８】ＣＶケーブルの一例を示す正面図である。
【図９】ＣＶケーブルの他例を示す正面図である。
【符号の説明】
【００２２】
１  回転駆動部
２  導体寸法調節部
３  絶縁体剥ぎ取りコマ
４  シース剥ぎ取りコマ
５  回転ハンドル
６  シース剥ぎ取り用アダプタ
７  シース及び絶縁体剥ぎ取りコマ
８  回転ノブ
１０  皮剥ぎ工具
【図１】
2007110874.tif 000003
【図２】
2007110874.tif 000004
【図３】
2007110874.tif 000005
【図４】
2007110874.tif 000006
【図５】
2007110874.tif 000007
【図６】
2007110874.tif 000008
【図７】
2007110874.tif 000009
【図８】
2007110874.tif 000010
【図９】
2007110874.tif 000011